(57)【要約】【課題】給電線路に雨水が入り込むのを確実に防止することができる反射板付アンテナの給電構造を提供する。【解決手段】反射板の前面に設けられる放射素子と、反射板上に設けられて放射素子に給電する給電線路とを備えた反射板付アンテナにおいて、前記給電線路は（−）ストリップラインと該（−）ストリップラインより幅の狭い（＋）ストリップラインからなり、前記（−）ストリップラインを複数のスペーサにより反射板上に一定の高さに保持すると共に、前記各スペーサに反射板と（−）ストリップラインとの間に位置するように水返し板を設けた構成とする。【選択図】図１
2012019480.tif 000002
【特許請求の範囲】
【請求項１】
反射板と、前記反射板の前面に設けられる放射素子と、前記反射板上に設けられて前記放射素子に給電する給電線路とを備えた反射板付アンテナにおいて、
前記給電線路は、
前記反射板に対向して設けられる第１のストリップラインと、
前記第１のストリップラインを前記反射板上に一定の高さに保持する複数のスペーサと、前記各スペーサに前記反射板と前記第１のストリップラインとの間に位置するように設けられる水返し板と、
前記第１のストリップライン上に所定の間隔を保って対向配置され、該第１のストリップラインより幅の狭い第２のストリップラインと
を具備することを特徴とする反射板付アンテナの給電構造。
【発明の詳細な説明】
【技術分野】
【０００１】
本発明は、通信用基地局や放送用送信等に使用する反射板付アンテナの給電構造に関する。
【背景技術】
【０００２】
各種通信用基地局では、特定の水平方向領域に対して通信サービスを行うセクタアンテナが使用されている。このセクタアンテナでは、アンテナ素子（放射素子）と金属反射板を用いた基本構造により、特定方向への指向性を強めている。
【０００３】
図６はＶＨＦ（very high frequency）帯で使用される従来の反射板付アンテナの概略構成を示す正面図、図７は上記反射板付アンテナの給電部分の詳細を示す斜視図である。図６において、１１は例えば長方形状に形成された反射板で、この反射板１１の前面に放射素子例えばＨ形に構成された垂直偏波用のダイポール素子１２、１３が上下に所定の間隔で２段スタックにして設けられる。上記ダイポール素子１２、１３は、反射板１１から所定の間隔を保って設けられる。また、上記反射板１１の上面中央には、上記２段スタックのダイポール素子１２、１３に給電するための給電線路１４が上下方向に設けられる。
【０００４】
上記給電線路１４は、図７に示すように（−）ストリップライン１５と（＋）ストリップライン１６からなり、反射板１１上に直接設けられる。（−）ストリップライン１５は（＋）ストリップライン１６の幅より十分に広い幅例えば数倍の幅を有し、この（−）ストリップライン１５上に（＋）ストリップライン１６が数ｍｍの間隔で設けられる。上記（−）ストリップライン１５及び（＋）ストリップライン１６は、中央部に給電部１７が設けられ、同軸ケーブル（図示せず）により外部回路に接続される。そして、上記（−）ストリップライン１５及び（＋）ストリップライン１６は、上下両端部が上記ダイポール素子１２、１３の給電点に接続される。
【０００５】
また、上記反射板１１上には、ダイポール素子１２、１３及び給電線路１４を保護するための保護カバー（図示せず）が設けられる。
【先行技術文献】
【特許文献】
【０００６】
【特許文献１】特開２００６−２１７５５９号公報
【発明の概要】
【発明が解決しようとする課題】
【０００７】
上記従来の反射板付アンテナは、反射板１１上に給電線路１４を直接設けているので、雨が降ったときに反射板１１を伝わって保護カバー内に入り込んだ雨水が（−）ストリップライン１５と（＋）ストリップライン１６との間に入り、アンテナ特性を劣化させるという問題があった。
【０００８】
本発明は上記の課題を解決するためになされたもので、雨水が反射板を伝わって保護カバー内に入り込んだとしても、給電線路に雨水が入り込むのを確実に防止することができる反射板付アンテナの給電構造を提供することを目的とする。
【課題を解決するための手段】
【０００９】
本発明は、反射板と、前記反射板の前面に設けられる放射素子と、前記反射板上に設けられて前記放射素子に給電する給電線路とを備えた反射板付アンテナにおいて、
前記給電線路は、
前記反射板に対向して設けられる第１のストリップラインと、
前記第１のストリップラインを前記反射板上に一定の高さに保持する複数のスペーサと、前記各スペーサに前記反射板と前記第１のストリップラインとの間に位置するように設けられる水返し板と、
前記第１のストリップライン上に所定の間隔を保って対向配置され、該第１のストリップラインより幅の狭い第２のストリップラインとを具備することを特徴とする。
【発明の効果】
【００１０】
本発明によれば、アンテナの反射板を伝わって給電線路に侵入する雨水を確実に阻止でき、雨水による給電線路の特性劣化を確実に防止することができる。
【図面の簡単な説明】
【００１１】
【図１】本発明の実施例１に係る反射板付アンテナの給電部を示す斜視図である。
【図２】（ａ）は同実施例１における反射板付アンテナの給電部の正面図、（ｂ）は同側面図、（ｃ）は同下面図である。
【図３】本発明の実施例２に係る反射板付アンテナの構成例を示す斜視図である。
【図４】（ａ）は同実施例２に係る反射板付アンテナの正面図、（ｂ）は同側断面図である。
【図５】同実施例２に係る反射板付アンテナの下面図である。
【図６】従来の反射板付アンテナの概略構成を示す正面図である。
【図７】従来の反射板付アンテナの給電部分の詳細を示す斜視図である。
【発明を実施するための形態】
【００１２】
以下、本発明の実施の形態について図面を参照して詳細に説明する。
【実施例１】
【００１３】
図１は本発明の実施例１に係る反射板付アンテナの給電部を示す斜視図である。図２（ａ）は同実施例１における反射板付アンテナの給電部の正面図、同図（ｂ）は同側面図、同図（ｃ）は同下面図である。
【００１４】
図１及び図２において、２１は例えば長方形状に形成されたアンテナの反射板で、この反射板２１上に例えば円柱状に形成された導電性の複数のスペーサ２２を介して給電線路３０が所定の高さＨ１に設けられる。上記スペーサ２２の高さＨ１は、例えば約２０ｍｍに設定される。また、上記各スペーサ２２には、反射板２１と給電線路３０との間に例えば円板状に形成した水返し板２３が設けられる。この水返し板２３は、導電性部材あるいは絶縁性部材を用いて形成され、その直径は例えば約１５〜２０ｍｍに設定される。上記水返し板２３の位置は、スペーサ２２の中央部近傍に設けられるが、中央位置より給電線路３０側に近接して設ける方が望ましい。
【００１５】
上記給電線路３０は（−）ストリップライン３１と該（−）ストリップライン３１より幅の狭い（＋）ストリップライン３２からなり、（−）ストリップライン３１と（＋）ストリップライン３２との間は、絶縁性部材からなるスペーサ３３が介在され、例えば約５ｍｍの間隔に保持される。上記（−）ストリップライン３１の幅Ｗ１は約３０ｍｍ、（＋）ストリップライン３２の幅Ｗ２は約５〜１０ｍｍに設定される。
【００１６】
そして、上記給電線路３０には、中央部に設けた給電部３４により給電される。この給電部３４は、例えば給電用コネクタ３５を用いて構成され、（−）ストリップライン３１には（−）の信号が給電され、（＋）ストリップライン３２には（＋）の信号が給電される。この場合、反射板２１の中央部に透孔３６が設けられ、給電用コネクタ３５の中心導体３７が透孔３６内を挿通して（＋）ストリップライン３２の給電点３８に接続される。また、給電用コネクタ３５の外導体は、（−）ストリップライン３１に接続される。
【００１７】
そして、上記のように構成された給電線路３０は、（−）ストリップライン３１及び（＋）ストリップライン３２が反射板付アンテナの放射素子に接続されて該放射素子に給電する。
【００１８】
上記実施例１に示したように給電線路３０を反射板２１から離して配置することにより、反射板２１を伝わる雨水の影響から給電線路３０を守ることができる。更に、反射板２１からスペーサ２２を伝わって給電線路３０方向に向かうは雨水は、水返し板２３によって阻止されるので、給電線路３０に対する防水作用を高めることができ、雨水による給電線路３０の特性劣化を確実に防止することができる。
【００１９】
なお、実施例１では、水返し板２３を円板状に形成した場合について示したが、その他の形状に形成してもよいことは勿論である。
【実施例２】
【００２０】
次に上記給電線路３０を例えばＶＨＦ帯で使用される反射板付アンテナに実施した場合の構成例について説明する。図３は上記給電線路３０を実装した反射板付アンテナの構成例を示す斜視図、図４（ａ）は上記給電線路３０を実装した反射板付アンテナの正面図、同図（ｂ）は同側断面図である。図５は上記給電線路３０を実装した反射板付アンテナの下面図である。なお、図３はダイポール素子の一部を切欠すると共に保護カバーを取り除いた状態を示している。
【００２１】
図３及び図４において、４１は例えば長方形状に形成された反射板で、両側部を後方に折返し、この折返部を副反射板としている。上記反射板４１の前面には、ダイポール素子を２段スタックに構成した垂直偏波用放射素子４２及び上記実施例１に示した給電線路３０が設けられる。
【００２２】
上記の放射素子４２は、上下左右対称に配置されたダイポール素子４３ａ〜４３ｄにより構成される。各ダイポール素子４３ａ〜４３ｄは、それぞれ直線的に配置された所定長さの２つの給電側素子４４ａ、４４ｂと、これらの給電側素子４４ａ、４４ｂの両端を直線的に接続する折返し素子４４ｃからなり、該折返し素子４４ｃは断面がチャネル状、すなわち略コの字形になっている。上記ダイポール素子４３ａ〜４３ｄは、給電線路３０によって給電側素子４４ａ、４４ｂに給電され、かつ所定高さに保持される。
【００２３】
給電線路３０は、反射板４１の中央部に上下方向に沿って配置され、実施例１で説明したように反射板４１上に複数のスペーサ２２を介して所定の高さに設けられる。また、各スペーサ２２には、水返し板２３が設けられる。上記給電線路３０は、（−）ストリップライン３１及び（＋）ストリップライン３２からなり、（＋）ストリップライン３２の両端部が給電線路を兼ねる導電性の支持部材４５ａ、４５ｂによりダイポール素子４３ａ〜４３ｄの一方の給電側素子４４ａに接続され、（−）ストリップライン３１の両端部が給電線路を兼ねる導電性の支持部材４６ａ、４６ｂによりダイポール素子４３ａ〜４３ｄの他方の給電側素子４４ｂに接続される。上記支持部材４５ａ、４５ｂ、４６ａ、４６ｂは、略Ｖ字型に形成されてダイポール素子４３ａ〜４３ｄを反射板４１上に所定の高さに保持し、かつ給電側素子４４ａ、４４ｂに給電する作用を有している。
【００２４】
また、給電線路３０は、（＋）ストリップライン３２の中央部を所定の長さに亘って幅広に形成し、インピーダンス変換部５１を構成している。このインピーダンス変換部５１の中央部に分岐給電線路５２を接続し、この分岐給電線路５２の先端に給電部３４を設けている。上記分岐給電線路５２もスペーサにより所定の高さに保持すると共に上記スペーサに水返し板を設け、分岐給電線路５２への雨水の侵入を防止している。また、上記反射板４１上には、放射素子４２、給電線路３０及び分岐給電線路５２を保護する保護カバー５３が設けられる。この保護カバー５３には、水抜き穴（図示せず）が設けられる。
【００２５】
上記実施例で示したように給電線路３０を反射板２１から離して配置し、且つ給電線路３０を保持するスペーサ２２に水返し板２３を設けることにより、反射板４１を伝わって保護カバー５３内に侵入した雨水は、スペーサ２２及び水返し板２３によって給電線路３０方向への侵入が阻止されるので、給電線路３０を雨水の影響から守ることができ、給電線路の特性劣化を確実に防止することができる。
【００２６】
なお、本発明は、上記実施の形態そのままに限定されるものではなく、実施段階ではその要旨を逸脱しない範囲で構成要素を変形して具体化できるものである。
【符号の説明】
【００２７】
２１…反射板、２２…スペーサ、２３…水返し板、３０…給電線路、３１…（−）ストリップライン、３２…（＋）ストリップライン、３３…スペーサ、３４…給電部、３５…給電用コネクタ、３６…透孔、３７…中心導体、３８…給電点、４１…反射板、４２…放射素子、４３ａ〜４３ｄ…ダイポール素子、４４ａ、４４ｂ…給電側素子、４４ｃ…折返し素子、４５ａ、４５ｂ、４６ａ、４６ｂ…支持部材、５１…インピーダンス変換部、５２…分岐給電線路、５３…保護カバー。
【図１】
2012019480.tif 000003
【図２】
2012019480.tif 000004
【図３】
2012019480.tif 000005
【図４】
2012019480.tif 000006
【図５】
2012019480.tif 000007
【図６】
2012019480.tif 000008
【図７】
2012019480.tif 000009